(57)【要約】      （修正有）【課題】持ち運び時に照明ライト部を保護する。【解決手段】携帯式小終夜灯は主体を含み、主体の中には密封溝が設置され、密封溝の下側には空きチャンバ１９が連通し設置され、空きチャンバ１９の中には照明ライト２０が設置され、照明ライト２０の下端には支えロッド２２が固定的に設置され、支えロッド２２の左端面にはラック２３が固定的に設置され、空きチャンバ１９の下側にはプッシュチャンバ２１が連通し設置され、支えロッド２２の下端がプッシュチャンバ２１の中に挿入されており、プッシュチャンバ２１の右側には伝動装置が設置される。【効果】構造が簡単で、操作が便利であり、照明ライト２０が装置内に収縮しているため、持ち運び時や外出時には落下防止機能と耐圧機能がある。【選択図】図１
2020181788.tif 000002
【特許請求の範囲】
【請求項１】
主体を含み、前記主体の中には密封溝が設置され、前記密封溝の下側には空きチャンバが連通し設置され、前記空きチャンバの中には照明ライトが設置され、前記照明ライトの下端には支えロッドが固定的に設置され、前記支えロッドの左端面にはラックが固定的に設置され、前記空きチャンバの下側にはプッシュチャンバが連通し設置され、前記支えロッドの下端が前記プッシュチャンバの中に挿入されており、前記プッシュチャンバの右側には伝動装置が設置され、前記伝動装置と前記支えロッドとが噛合しており、前記空きチャンバの両側にはそれぞれ両側の前記密封溝と連通している昇降溝が対称的に設置され、前記昇降溝の中にはネジ山軸が回転できるように設置され、前記昇降溝の下側には連結装置が設置され、前記連結装置と前記ネジ山軸とが動力が伝達できるように連結され、前記ネジ山軸にはスリーブがネジ山により連結され、前記昇降溝の片側にはガイド溝が連通し設置され、前記スリーブの一端には前記ガイド溝とスライドできるように連結されるガイドブロックが固定的に設置され、前記スリーブの上端には回転軸により密封板が回転できるように連結され、前記回転軸と前記昇降溝の内壁との間にはトーションばねが連結され、前記密封板にはロック溝が設置され、前記密封溝の外側にはスライド溝が連通し設置され、前記スライド溝の中には前記ロック溝と挿入して連結されてロックされたロックロッドがスライドできるように設置され、前記ロックロッドと前記スライド溝との間には伸縮ばねが固定的に設置され、前記スライド溝の下側には前記プッシュチャンバと連通している押し溝が設置され、前記押し溝と前記スライド溝との間には連通溝が連通し設置され、前記連通溝の中には回転ロッドが回転できるように設置され、前記押し溝の中には押しロッドがスライドできるように設置され、前記回転ロッドの上下端がそれぞれ前記ロックロッドと前記押しロッドと回転できるように連結され、前記押しロッドと前記押し溝との間には押圧ばねが固定的に設置され、右側の前記押しロッドの中には貫通溝が設置され、前記連通溝の外側には下に開口した環状溝が設置され、前記環状溝の中には環状ブロックが回転できるように設置され、前記環状ブロックの上端と前記環状溝の上端壁とが磁力により互いに吸い寄せており、前記環状ブロックの下端には回転ブロックが固定的に設置され、前記回転ブロックの中には回転溝が設置され、前記回転溝の内壁にはリングギヤが固定的に設置され、
前記回転ブロックを下に引いて回転させ、前記密封板のロックを解除しまた前記空きチャンバを開け、前記照明ライトが上昇し照明できることを特徴とする携帯式小終夜灯。
【請求項２】
前記伝動装置は前記プッシュチャンバと連通している噛合チャンバを含み、前記噛合チャンバの中には前記支えロッドと噛合している噛合歯車が回転できるように設置され、前記噛合歯車の前端面には第一傘歯車が固定的に設置され、前記第一傘歯車の下端には第二傘歯車が噛合により連結され、前記噛合チャンバと右側の前記押し溝とが連通しており、前記第二傘歯車の心棒の下端が前記貫通溝を貫通した後に前記回転溝の中に挿入されており、前記心棒の下端には前記リングギヤと噛合できる伝動歯車が固定的に設置され、
前記伝動歯車が二つの反対する方向に回転し前記支えロッドを昇降させることを特徴とする請求項１に記載の携帯式小終夜灯。
【請求項３】
前記連結装置は前記昇降溝と連通しているベルト溝を含み、前記ネジ山軸の下端が前記ベルト溝の中に挿入され、かつ前記ネジ山軸の下端にはプーリが固定的に設置され、前記プーリの間がベルトにより動力が伝達できるように連結され、前記ベルト溝の下側と前記プッシュチャンバとの間には連通チャンバが連通し設置され、左側の前記ネジ山軸の下端が前記連通チャンバの中に挿入され、かつ左側の前記ネジ山軸の下端には第三傘歯車が固定的に設置され、前記連通チャンバの中には連結歯車が左右に対称的に回転できるように設置され、前記連結歯車の間が伝動ベルトにより動力が伝達できるように連結され、左側の前記連結歯車と前記第三傘歯車とが噛合しており、右側の前記連結歯車が前記ラックと噛合でき、
前記支えロッドが昇降し前記連結歯車を回転させ、それにより前記ネジ山軸を回転連動させることを特徴とする請求項１に記載の携帯式小終夜灯。
【発明の詳細な説明】
【技術分野】
【０００１】
本発明は日常用品技術分野を取り上げて、具体的には携帯式小終夜灯である。
【背景技術】
【０００２】
現在の小終夜灯は外観の美観を増やすため、様々な形があり、不規則な外形を持つが、外出や運搬する過程で、特製の包装ケースでケース内で固定される必要があり、または、小終夜灯の構造を取り外すことにより、ぶつかったり押されたりすることを防止し、それにより携帯が不便になり、また、現在の小終夜灯は空気中にさらされており、使用されないときは埃がたまり、洗浄しにくい。
従って、既存技術の小終夜灯を更に改善する必要があり、これにより小終夜灯の使用効率と携帯性を高める。
【先行技術文献】
【特許文献】
【０００３】
【特許文献１】中国特許出願公開第108374999号明細書
【発明の概要】
【発明が解決しようとする課題】
【０００４】
本発明の目的は携帯式小終夜灯を提供し、それは上記の現在の技術中の問題を解決できる。
【課題を解決するための手段】
【０００５】
本発明の携帯式小終夜灯は、主体を含み、前記主体の中には密封溝が設置され、前記密封溝の下側には空きチャンバが連通し設置され、前記空きチャンバの中には照明ライトが設置され、前記照明ライトの下端には支えロッドが固定的に設置され、前記支えロッドの左端面にはラックが固定的に設置され、前記空きチャンバの下側にはプッシュチャンバが連通し設置され、前記支えロッドの下端が前記プッシュチャンバの中に挿入されており、前記プッシュチャンバの右側には伝動装置が設置され、前記伝動装置と前記支えロッドとが噛合しており、前記空きチャンバの両側にはそれぞれ両側の前記密封溝と連通している昇降溝が対称的に設置され、前記昇降溝の中にはネジ山軸が回転できるように設置され、前記昇降溝の下側には連結装置が設置され、前記連結装置と前記ネジ山軸とが動力が伝達できるように連結され、前記ネジ山軸にはスリーブがネジ山により連結され、前記昇降溝の片側にはガイド溝が連通し設置され、前記スリーブの一端には前記ガイド溝とスライドできるように連結されるガイドブロックが固定的に設置され、前記スリーブの上端には回転軸により密封板が回転できるように連結され、前記回転軸と前記昇降溝の内壁との間にはトーションばねが連結され、前記密封板にはロック溝が設置され、前記密封溝の外側にはスライド溝が連通し設置され、前記スライド溝の中には前記ロック溝と挿入して連結されてロックされたロックロッドがスライドできるように設置され、前記ロックロッドと前記スライド溝との間には伸縮ばねが固定的に設置され、前記スライド溝の下側には前記プッシュチャンバと連通している押し溝が設置され、前記押し溝と前記スライド溝との間には連通溝が連通し設置され、前記連通溝の中には回転ロッドが回転できるように設置され、前記押し溝の中には押しロッドがスライドできるように設置され、前記回転ロッドの上下端がそれぞれ前記ロックロッドと前記押しロッドと回転できるように連結され、前記押しロッドと前記押し溝との間には押圧ばねが固定的に設置され、右側の前記押しロッドの中には貫通溝が設置され、前記連通溝の外側には下に開口した環状溝が設置され、前記環状溝の中には環状ブロックが回転できるように設置され、前記環状ブロックの上端と前記環状溝の上端壁とが磁力により互いに吸い寄せており、前記環状ブロックの下端には回転ブロックが固定的に設置され、前記回転ブロックの中には回転溝が設置され、前記回転溝の内壁にはリングギヤが固定的に設置される；前記回転ブロックを下に引いて回転させ、前記密封板のロックを解除しまた前記空きチャンバを開け、前記照明ライトが上昇し照明できる。
【０００６】
さらなる技術プラン、前記伝動装置は前記プッシュチャンバと連通している噛合チャンバを含み、前記噛合チャンバの中には前記支えロッドと噛合している噛合歯車が回転できるように設置され、前記噛合歯車の前端面には第一傘歯車が固定的に設置され、前記第一傘歯車の下端には第二傘歯車が噛合により連結され、前記噛合チャンバと右側の前記押し溝とが連通しており、前記第二傘歯車の心棒の下端が前記貫通溝を貫通した後に前記回転溝の中に挿入されており、前記心棒の下端には前記リングギヤと噛合できる伝動歯車が固定的に設置され、
前記伝動歯車が二つの反対する方向に回転し前記支えロッドを昇降させる。
【０００７】
さらなる技術プラン、前記連結装置は前記昇降溝と連通しているベルト溝を含み、前記ネジ山軸の下端が前記ベルト溝の中に挿入され、かつ前記ネジ山軸の下端にはプーリが固定的に設置され、前記プーリの間がベルトにより動力が伝達できるように連結され、前記ベルト溝の下側と前記プッシュチャンバとの間には連通チャンバが連通し設置され、左側の前記ネジ山軸の下端が前記連通チャンバの中に挿入され、かつ左側の前記ネジ山軸の下端には第三傘歯車が固定的に設置され、前記連通チャンバの中には連結歯車が左右に対称的に回転できるように設置され、前記連結歯車の間が伝動ベルトにより動力が伝達できるように連結され、左側の前記連結歯車と前記第三傘歯車とが噛合しており、右側の前記連結歯車が前記ラックと噛合でき、
前記支えロッドが昇降し前記連結歯車を回転させ、それにより前記ネジ山軸を回転連動させる。
【発明の効果】
【０００８】
本発明の有益的な効果は：本発明は構造が簡単で、操作が便利であり、照明ライトが装置内に収縮しているため、持ち運び時や外出時には落下防止機能と耐圧機能があり、そして、照明ライトを使用するとき、装置の下側の回転ブロックを下に引いて回転させることにより、照明ライトを装置外にプッシュし照明させ、回転ブロックを下に引いて回転させると照明ライトが昇降でき、装置の安定性と柔軟性を高める。
【図面の簡単な説明】
【０００９】
【図１】図１は本発明の携帯式小終夜灯の内部全体構成略図
【図２】図２は本発明の図１のＡの拡大構成略図
【図３】図３は本発明の図１のＢ−Ｂ方向の構成略図
【発明を実施するための形態】
【００１０】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−３に参考し、本発明の携帯式小終夜灯は、主体１０を含み、前記主体１０の中には密封溝１１が設置され、前記密封溝１１の下側には空きチャンバ１９が連通し設置され、前記空きチャンバ１９の中には照明ライト２０が設置され、前記照明ライト２０の下端には支えロッド２２が固定的に設置され、前記支えロッド２２の左端面にはラック２３が固定的に設置され、前記空きチャンバ１９の下側にはプッシュチャンバ２１が連通し設置され、前記支えロッド２２の下端が前記プッシュチャンバ２１の中に挿入されており、前記プッシュチャンバ２１の右側には伝動装置１００が設置され、前記伝動装置１００と前記支えロッド２２とが噛合しており、前記空きチャンバ１９の両側にはそれぞれ両側の前記密封溝１１と連通している昇降溝１２が対称的に設置され、前記昇降溝１２の中にはネジ山軸２６が回転できるように設置され、前記昇降溝１２の下側には連結装置２００が設置され、前記連結装置２００と前記ネジ山軸２６とが動力が伝達できるように連結され、前記ネジ山軸２６にはスリーブ１３がネジ山により連結され、前記昇降溝１２の片側にはガイド溝２４が連通し設置され、前記スリーブ１３の一端には前記ガイド溝２４とスライドできるように連結されるガイドブロック２５が固定的に設置され、前記スリーブ１３の上端には回転軸１４により密封板１５が回転できるように連結され、前記回転軸１４と前記昇降溝１２の内壁との間にはトーションばね１６が連結され、前記密封板１５にはロック溝１８が設置され、前記密封溝１１の外側にはスライド溝３４が連通し設置され、前記スライド溝３４の中には前記ロック溝１８と挿入して連結されてロックされたロックロッド３５がスライドできるように設置され、前記ロックロッド３５と前記スライド溝３４との間には伸縮ばね３６が固定的に設置され、前記スライド溝３４の下側には前記プッシュチャンバ２１と連通している押し溝３９が設置され、前記押し溝３９と前記スライド溝３４との間には連通溝３７が連通し設置され、前記連通溝３７の中には回転ロッド３８が回転できるように設置され、前記押し溝３９の中には押しロッド４０がスライドできるように設置され、前記回転ロッド３８の上下端がそれぞれ前記ロックロッド３５と前記押しロッド４０と回転できるように連結され、前記押しロッド４０と前記押し溝３９との間には押圧ばね４１が固定的に設置され、右側の前記押しロッド４０の中には貫通溝５２が設置され、前記連通溝３７の外側には下に開口した環状溝４２が設置され、前記環状溝４２の中には環状ブロック４４が回転できるように設置され、前記環状ブロック４４の上端と前記環状溝４２の上端壁とが磁力により互いに吸い寄せており、前記環状ブロック４４の下端には回転ブロック４３が固定的に設置され、前記回転ブロック４３の中には回転溝５１が設置され、前記回転溝５１の内壁にはリングギヤ５３が固定的に設置され、
前記回転ブロック４３を下に引いて回転させ、前記密封板１５のロックを解除しまた前記空きチャンバ１９を開け、前記照明ライト２０が上昇し照明できる。
【００１２】
有益的には、前記伝動装置１００は前記プッシュチャンバ２１と連通している噛合チャンバ４５を含み、前記噛合チャンバ４５の中には前記支えロッド２２と噛合している噛合歯車４６が回転できるように設置され、前記噛合歯車４６の前端面には第一傘歯車４７が固定的に設置され、前記第一傘歯車４７の下端には第二傘歯車４８が噛合により連結され、前記噛合チャンバ４５と右側の前記押し溝３９とが連通しており、前記第二傘歯車４８の心棒４９の下端が前記貫通溝５２を貫通した後に前記回転溝５１の中に挿入されており、前記心棒４９の下端には前記リングギヤ５３と噛合できる伝動歯車５０が固定的に設置され、
前記伝動歯車５０が二つの反対する方向に回転し前記支えロッド２２を昇降させる。
【００１３】
有益的には、前記連結装置２００は前記昇降溝１２と連通しているベルト溝２７を含み、前記ネジ山軸２６の下端が前記ベルト溝２７の中に挿入され、かつ前記ネジ山軸２６の下端にはプーリ２８が固定的に設置され、前記プーリ２８の間がベルト２９により動力が伝達できるように連結され、前記ベルト溝２７の下側と前記プッシュチャンバ２１との間には連通チャンバ３０が連通し設置され、左側の前記ネジ山軸２６の下端が前記連通チャンバ３０の中に挿入され、かつ左側の前記ネジ山軸２６の下端には第三傘歯車３１が固定的に設置され、前記連通チャンバ３０の中には連結歯車３２が左右に対称的に回転できるように設置され、前記連結歯車３２の間が伝動ベルト３３により動力が伝達できるように連結され、左側の前記連結歯車３２と前記第三傘歯車３１とが噛合しており、右側の前記連結歯車３２が前記ラック２３と噛合でき、
前記支えロッド２２が昇降し前記連結歯車３２を回転させ、それにより前記ネジ山軸２６を回転連動させる。
【００１４】
初期状態に、ラック２３と連結歯車３２とが噛合していなく、ロック溝１８とロックロッド３５とがロックされており、環状ブロック４４と環状溝４２の上端壁とが磁力により吸引し合っており、押圧ばね４１が圧縮状態にある。
【００１５】
作動するとき、回転ブロック４３を下に引き、それによりリングギヤ５３と伝動歯車５０とが噛合し、回転ブロック４３を回転させることによって伝動歯車５０を回転させ、それにより噛合歯車４６が時計回りに回転し、支えロッド２２が上昇し、それにより押しロッド４０が押圧ばね４１の作用により向かい合ってスライドし、回転ロッド３８によりロックロッド３５を照明ライト２０から離れている側に移動させ、かつロック溝１８との連結から離脱させ、それにより密封板１５のロックを解除し、このとき、右側の連結歯車３２とラック２３とが噛合し、それにより支えロッド２２が上昇し、連結歯車３２を回転させ、ベルト２９により左右二つのネジ山軸２６を同期に回転させ、それによりスリーブ１３が下がって密封板１５を回転させて空きチャンバ１９を開けてスリーブ１３と共に降下させ、このときトーションばね１６が引っ張り状態にあり、支えロッド２２が照明ライト２０を主体１０の上側まで上昇連動させ照明させ、そして、回転ブロック４３を上にプッシュし、環状ブロック４４と環状溝４２とを磁力により接続させ、それにより伝動歯車５０とリングギヤ５３とが離脱し、装置を収納するとき、回転ブロック４３を逆方向に回転させ、それにより支えロッド２２が照明ライト２０を降下連動させ、照明ライト２０が空きチャンバ１９の中に収縮し、スリーブ１３が上昇し、密封板１５がトーションばね１６の作用により向かい合って回転し、空きチャンバ１９を閉め、支えロッド２２の下端とプッシュチャンバ２１の下端壁とが当接するとき、支えロッド２２が押しロッド４０を押し両側に移動させ、それによりロックロッド３５が向かい合ってスライドしロック溝１８と挿入して連結されて固定され、密封板１５の位置を固定する。
【００１６】
本発明の有益的な効果は：本発明は構造が簡単で、操作が便利であり、照明ライトが装置内に収縮しているため、持ち運び時や外出時には落下防止機能と耐圧機能があり、そして、照明ライトを使用するとき、装置の下側の回転ブロックを下に引いて回転させることにより、照明ライトを装置外にプッシュし照明させ、回転ブロックを下に引いて回転させると照明ライトが昇降でき、装置の安定性と柔軟性を高める。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181788.tif 000003
【図２】
2020181788.tif 000004
【図３】
2020181788.tif 000005
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
主体を含み、前記主体の中には密封溝が設置され、前記密封溝の横側には空きチャンバが連通し設置され、前記空きチャンバの中には照明ライトが設置され、前記照明ライトの下端には支えロッドが固定的に設置され、前記支えロッドの左端面にはラックが固定的に設置され、前記空きチャンバの下側にはプッシュチャンバが連通し設置され、前記支えロッドの下端が前記プッシュチャンバの中に挿入されており、前記プッシュチャンバの右側には伝動装置が設置され、前記伝動装置と前記支えロッドとが噛合しており、前記空きチャンバの両側には前記密封溝と連通している昇降溝が対称になるように形成され、前記昇降溝の中にはネジ山軸が回転できるように設置され、前記昇降溝の下側には連結装置が設置され、前記連結装置と前記ネジ山軸とが動力が伝達できるように連結され、前記ネジ山軸にはスリーブがネジ山により連結され、前記昇降溝において前記空きチャンバから離れた側にはガイド溝が連通するように形成され、前記スリーブの中間部分にはには前記ガイド溝とスライドできるように連結されるガイドブロックが固定的に設置され、前記スリーブの上端には回転軸により密封板が回転できるように連結され、前記回転軸と前記昇降溝の内壁との間にはトーションばねが連結され、前記密封板にはロック溝が設置され、前記密封溝の外側にはスライド溝が連通し設置され、前記スライド溝の中には前記ロック溝と挿入して連結されてロックされたロックロッドがスライドできるように設置され、前記ロックロッドと前記スライド溝との間には伸縮ばねが固定的に設置され、前記スライド溝の下側には前記プッシュチャンバと連通している押し溝が設置され、かつ前記押し溝は前記プッシュチャンバの左右両側に設置され、前記押し溝と前記スライド溝との間には連通溝が連通し設置され、前記連通溝の中には回転ロッドが回転できるように設置され、前記押し溝の中には押しロッドがスライドできるように設置され、前記回転ロッドの上下端がそれぞれ前記ロックロッドと前記押しロッドと回転できるように連結され、前記押しロッドと前記押し溝との間には押圧ばねが固定的に設置され、右側の前記押しロッドの中には貫通溝が設置され、前記連通溝の外側には下に開口した環状溝が設置され、前記環状溝の中には環状ブロックが回転できるように設置され、前記環状ブロックの上端と前記環状溝の上端壁とが磁力により互いに吸い寄せており、前記環状ブロックの下端には回転ブロックが固定的に設置され、前記回転ブロックの中には回転溝が設置され、前記回転溝の内壁にはリングギヤが固定的に設置され、前記回転ブロックを下に引いて回転させ、前記密封板のロックを解除しまた前記空きチャンバを開け、前記照明ライトが上昇し照明できることを特徴とする携帯式小終夜灯。
【請求項２】
前記伝動装置は前記プッシュチャンバと連通している噛合チャンバを含み、前記噛合チャンバの中には前記支えロッドと噛合している噛合歯車が回転できるように設置され、前記噛合歯車の前端面には第一傘歯車が固定的に設置され、前記第一傘歯車の下端には第二傘歯車が噛合により連結され、前記噛合チャンバと右側の前記押し溝とが連通しており、前記第二傘歯車の心棒の下端が前記貫通溝を貫通した後に前記回転溝の中に挿入されており、前記心棒の下端には前記リングギヤと噛合できる伝動歯車が固定的に設置され、前記伝動歯車が正回転又は逆回転するときに、前記支えロッドを上昇又は降下させることができることを特徴とする請求項１に記載の携帯式小終夜灯。
【請求項３】
前記連結装置は前記昇降溝と連通しているベルト溝を含み、前記ネジ山軸の下端が前記ベルト溝の中に挿入され、かつ前記ネジ山軸の下端にはプーリが固定的に設置され、前記プーリの間がベルトにより動力が伝達できるように連結され、前記ベルト溝の下側と前記プッシュチャンバとの間には連通チャンバが連通し設置され、左側の前記ネジ山軸の下端が前記連通チャンバの中に挿入され、かつ左側の前記ネジ山軸の下端には第三傘歯車が固定的に設置され、前記連通チャンバの中には連結歯車が左右に対称的に回転できるように設置され、前記連結歯車の間が伝動ベルトにより動力が伝達できるように連結され、左側の前記連結歯車と前記第三傘歯車とが噛合しており、右側の前記連結歯車が前記ラックと噛合でき、前記支えロッドが昇降し前記連結歯車を回転させ、それにより前記ネジ山軸を回転連動させることを特徴とする請求項１に記載の携帯式小終夜灯。
【手続補正２】
【補正対象書類名】明細書
【補正対象項目名】全文
【補正方法】変更
【補正の内容】
【発明の詳細な説明】
【技術分野】
【０００１】
本発明は日常用品技術分野を取り上げて、具体的には携帯式小終夜灯である。
【背景技術】
【０００２】
現在の小終夜灯は外観の美観を増やすため、様々な形があり、不規則な外形を持つが、外出や運搬する過程で、特製の包装ケースでケース内で固定される必要があり、または、小終夜灯の構造を取り外すことにより、ぶつかったり押されたりすることを防止し、それにより携帯が不便になり、また、現在の小終夜灯は空気中にさらされており、使用されないときは埃がたまり、洗浄しにくい。従って、既存技術の小終夜灯を更に改善する必要があり、これにより小終夜灯の使用効率と携帯性を高める。
【先行技術文献】
【特許文献】
【０００３】
【特許文献１】中国特許出願公開第１０８３７４９９９号明細書
【発明の概要】
【発明が解決しようとする課題】
【０００４】
本発明の目的は携帯式小終夜灯を提供し、それは上記の現在の技術中の問題を解決できる。
【課題を解決するための手段】
【０００５】
本発明の携帯式小終夜灯は、主体を含み、前記主体の中には密封溝が設置され、前記密封溝の横側には空きチャンバが連通し設置され、前記空きチャンバの中には照明ライトが設置され、前記照明ライトの下端には支えロッドが固定的に設置され、前記支えロッドの左端面にはラックが固定的に設置され、前記空きチャンバの下側にはプッシュチャンバが連通し設置され、前記支えロッドの下端が前記プッシュチャンバの中に挿入されており、前記プッシュチャンバの右側には伝動装置が設置され、前記伝動装置と前記支えロッドとが噛合しており、前記空きチャンバの両側には前記密封溝と連通している昇降溝が対称になるように形成され、前記昇降溝の中にはネジ山軸が回転できるように設置され、前記昇降溝の下側には連結装置が設置され、前記連結装置と前記ネジ山軸とが動力が伝達できるように連結され、前記ネジ山軸にはスリーブがネジ山により連結され、前記昇降溝において前記空きチャンバから離れた側にはガイド溝が連通するように形成され、前記スリーブの中間部分には前記ガイド溝とスライドできるように連結されるガイドブロックが固定的に設置され、前記スリーブの上端には回転軸により密封板が回転できるように連結され、前記回転軸と前記昇降溝の内壁との間にはトーションばねが連結され、前記密封板にはロック溝が設置され、前記密封溝の外側にはスライド溝が連通し設置され、前記スライド溝の中には前記ロック溝と挿入して連結されてロックされたロックロッドがスライドできるように設置され、前記ロックロッドと前記スライド溝との間には伸縮ばねが固定的に設置され、前記スライド溝の下側には前記プッシュチャンバと連通している押し溝が設置され、かつ前記押し溝は前記プッシュチャンバの左右両側に設置され、前記押し溝と前記スライド溝との間には連通溝が連通し設置され、前記連通溝の中には回転ロッドが回転できるように設置され、前記押し溝の中には押しロッドがスライドできるように設置され、前記回転ロッドの上下端がそれぞれ前記ロックロッドと前記押しロッドと回転できるように連結され、前記押しロッドと前記押し溝との間には押圧ばねが固定的に設置され、右側の前記押しロッドの中には貫通溝が設置され、前記連通溝の外側には下に開口した環状溝が設置され、前記環状溝の中には環状ブロックが回転できるように設置され、前記環状ブロックの上端と前記環状溝の上端壁とが磁力により互いに吸い寄せており、前記環状ブロックの下端には回転ブロックが固定的に設置され、前記回転ブロックの中には回転溝が設置され、前記回転溝の内壁にはリングギヤが固定的に設置される；前記回転ブロックを下に引いて回転させ、前記密封板のロックを解除しまた前記空きチャンバを開け、前記照明ライトが上昇し照明できる。
【０００６】
さらなる技術プラン、前記伝動装置は前記プッシュチャンバと連通している噛合チャンバを含み、前記噛合チャンバの中には前記支えロッドと噛合している噛合歯車が回転できるように設置され、前記噛合歯車の前端面には第一傘歯車が固定的に設置され、前記第一傘歯車の下端には第二傘歯車が噛合により連結され、前記噛合チャンバと右側の前記押し溝とが連通しており、前記第二傘歯車の心棒の下端が前記貫通溝を貫通した後に前記回転溝の中に挿入されており、前記心棒の下端には前記リングギヤと噛合できる伝動歯車が固定的に設置され、前記伝動歯車が正回転又は逆回転するときに、前記支えロッドを上昇又は降下させることができる。
【０００７】
さらなる技術プラン、前記連結装置は前記昇降溝と連通しているベルト溝を含み、前記ネジ山軸の下端が前記ベルト溝の中に挿入され、かつ前記ネジ山軸の下端にはプーリが固定的に設置され、前記プーリの間がベルトにより動力が伝達できるように連結され、前記ベルト溝の下側と前記プッシュチャンバとの間には連通チャンバが連通し設置され、左側の前記ネジ山軸の下端が前記連通チャンバの中に挿入され、かつ左側の前記ネジ山軸の下端には第三傘歯車が固定的に設置され、前記連通チャンバの中には連結歯車が左右に対称的に回転できるように設置され、前記連結歯車の間が伝動ベルトにより動力が伝達できるように連結され、左側の前記連結歯車と前記第三傘歯車とが噛合しており、右側の前記連結歯車が前記ラックと噛合でき、前記支えロッドが昇降し前記連結歯車を回転させ、それにより前記ネジ山軸を回転連動させる。
【発明の効果】
【０００８】
本発明の有益的な効果は：本発明は構造が簡単で、操作が便利であり、照明ライトが装置内に収縮しているため、持ち運び時や外出時には落下防止機能と耐圧機能があり、そして、照明ライトを使用するとき、装置の下側の回転ブロックを下に引いて回転させることにより、照明ライトを装置外にプッシュし照明させ、回転ブロックを下に引いて回転させると照明ライトが昇降でき、装置の安定性と柔軟性を高める。
【図面の簡単な説明】
【０００９】
【図１】図１は本発明の携帯式小終夜灯の内部全体構成略図
【図２】図２は本発明の図１のＡの拡大構成略図
【図３】図３は本発明の図１のＢ−Ｂ方向の構成略図
【発明を実施するための形態】
【００１０】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−３に参考し、本発明の携帯式小終夜灯は、主体１０を含み、前記主体１０の中には密封溝１１が設置され、前記密封溝１１の横側には空きチャンバ１９が連通し設置され、前記空きチャンバ１９の中には照明ライト２０が設置され、前記照明ライト２０の下端には支えロッド２２が固定的に設置され、前記支えロッド２２の左端面にはラック２３が固定的に設置され、前記空きチャンバ１９の下側にはプッシュチャンバ２１が連通し設置され、前記支えロッド２２の下端が前記プッシュチャンバ２１の中に挿入されており、前記プッシュチャンバ２１の右側には伝動装置１００が設置され、前記伝動装置１００と前記支えロッド２２とが噛合しており、前記空きチャンバ１９の両側には前記密封溝１１と連通している昇降溝１２が対称になるように形成され、前記昇降溝１２の中にはネジ山軸２６が回転できるように設置され、前記昇降溝１２の下側には連結装置２００が設置され、前記連結装置２００と前記ネジ山軸２６とが動力が伝達できるように連結され、前記ネジ山軸２６にはスリーブ１３がネジ山により連結され、前記昇降溝１２において前記空きチャンバ１９から離れた側にはガイド溝２４が連通するように形成され、前記スリーブ１３の中間部分には前記ガイド溝２４とスライドできるように連結されるガイドブロック２５が固定的に設置され、前記スリーブ１３の上端には回転軸１４により密封板１５が回転できるように連結され、前記回転軸１４と前記昇降溝１２の内壁との間にはトーションばね１６が連結され、前記密封板１５にはロック溝１８が設置され、前記密封溝１１の外側にはスライド溝３４が連通し設置され、前記スライド溝３４の中には前記ロック溝１８と挿入して連結されてロックされたロックロッド３５がスライドできるように設置され、前記ロックロッド３５と前記スライド溝３４との間には伸縮ばね３６が固定的に設置され、前記スライド溝３４の下側には前記プッシュチャンバ２１と連通している押し溝３９が設置され、かつ前記押し溝３９は前記プッシュチャンバ２１の左右両側に設置され、前記押し溝３９と前記スライド溝３４との間には連通溝３７が連通し設置され、前記連通溝３７の中には回転ロッド３８が回転できるように設置され、前記押し溝３９の中には押しロッド４０がスライドできるように設置され、前記回転ロッド３８の上下端がそれぞれ前記ロックロッド３５と前記押しロッド４０と回転できるように連結され、前記押しロッド４０と前記押し溝３９との間には押圧ばね４１が固定的に設置され、右側の前記押しロッド４０の中には貫通溝５２が設置され、前記連通溝３７の外側には下に開口した環状溝４２が設置され、前記環状溝４２の中には環状ブロック４４が回転できるように設置され、前記環状ブロック４４の上端と前記環状溝４２の上端壁とが磁力により互いに吸い寄せており、前記環状ブロック４４の下端には回転ブロック４３が固定的に設置され、前記回転ブロック４３の中には回転溝５１が設置され、前記回転溝５１の内壁にはリングギヤ５３が固定的に設置され、前記回転ブロック４３を下に引いて回転させ、前記密封板１５のロックを解除しまた前記空きチャンバ１９を開け、前記照明ライト２０が上昇し照明できる。
【００１２】
有益的には、前記伝動装置１００は前記プッシュチャンバ２１と連通している噛合チャンバ４５を含み、前記噛合チャンバ４５の中には前記支えロッド２２と噛合している噛合歯車４６が回転できるように設置され、前記噛合歯車４６の前端面には第一傘歯車４７が固定的に設置され、前記第一傘歯車４７の下端には第二傘歯車４８が噛合により連結され、前記噛合チャンバ４５と右側の前記押し溝３９とが連通しており、前記第二傘歯車４８の心棒４９の下端が前記貫通溝５２を貫通した後に前記回転溝５１の中に挿入されており、前記心棒４９の下端には前記リングギヤ５３と噛合できる伝動歯車５０が固定的に設置され、前記伝動歯車５０が正回転又は逆回転するときに、前記支えロッド２２を上昇又は降下させることができる。
【００１３】
有益的には、前記連結装置２００は前記昇降溝１２と連通しているベルト溝２７を含み、前記ネジ山軸２６の下端が前記ベルト溝２７の中に挿入され、かつ前記ネジ山軸２６の下端にはプーリ２８が固定的に設置され、前記プーリ２８の間がベルト２９により動力が伝達できるように連結され、前記ベルト溝２７の下側と前記プッシュチャンバ２１との間には連通チャンバ３０が連通し設置され、左側の前記ネジ山軸２６の下端が前記連通チャンバ３０の中に挿入され、かつ左側の前記ネジ山軸２６の下端には第三傘歯車３１が固定的に設置され、前記連通チャンバ３０の中には連結歯車３２が左右に対称的に回転できるように設置され、前記連結歯車３２の間が伝動ベルト３３により動力が伝達できるように連結され、左側の前記連結歯車３２と前記第三傘歯車３１とが噛合しており、右側の前記連結歯車３２が前記ラック２３と噛合でき、前記支えロッド２２が昇降し前記連結歯車３２を回転させ、それにより前記ネジ山軸２６を回転連動させる。
【００１４】
初期状態に、ラック２３と連結歯車３２とが噛合していなく、ロック溝１８とロックロッド３５とがロックされており、環状ブロック４４と環状溝４２の上端壁とが磁力により吸引し合っており、押圧ばね４１が圧縮状態にある。
【００１５】
作動するとき、回転ブロック４３を下に引き、それによりリングギヤ５３と伝動歯車５０とが噛合し、回転ブロック４３を回転させることによって伝動歯車５０を回転させ、それにより噛合歯車４６が時計回りに回転し、支えロッド２２が上昇し、それにより押しロッド４０が押圧ばね４１の作用により向かい合ってスライドし、回転ロッド３８によりロックロッド３５を照明ライト２０から離れている側に移動させ、かつロック溝１８との連結から離脱させ、それにより密封板１５のロックを解除し、このとき、右側の連結歯車３２とラック２３とが噛合し、それにより支えロッド２２が上昇し、連結歯車３２を回転させ、ベルト２９により左右二つのネジ山軸２６を同期に回転させ、それによりスリーブ１３が下がって密封板１５を回転させて空きチャンバ１９を開けてスリーブ１３と共に降下させ、このときトーションばね１６が引っ張り状態にあり、支えロッド２２が照明ライト２０を主体１０の上側まで上昇連動させ照明させ、そして、回転ブロック４３を上にプッシュし、環状ブロック４４と環状溝４２とを磁力により接続させ、それにより伝動歯車５０とリングギヤ５３とが離脱し、装置を収納するとき、回転ブロック４３を逆方向に回転させ、それにより支えロッド２２が照明ライト２０を降下連動させ、照明ライト２０が空きチャンバ１９の中に収縮し、スリーブ１３が上昇し、密封板１５がトーションばね１６の作用により向かい合って回転し、空きチャンバ１９を閉め、支えロッド２２の下端とプッシュチャンバ２１の下端壁とが当接するとき、支えロッド２２が押しロッド４０を押し両側に移動させ、それによりロックロッド３５が向かい合ってスライドしロック溝１８と挿入して連結されて固定され、密封板１５の位置を固定する。
【００１６】
本発明の有益的な効果は：本発明は構造が簡単で、操作が便利であり、照明ライトが装置内に収縮しているため、持ち運び時や外出時には落下防止機能と耐圧機能があり、そして、照明ライトを使用するとき、装置の下側の回転ブロックを下に引いて回転させることにより、照明ライトを装置外にプッシュし照明させ、回転ブロックを下に引いて回転させると照明ライトが昇降でき、装置の安定性と柔軟性を高める。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。